(57)【特許請求の範囲】
【請求項１】
水栓本体と、該水栓本体を壁に固定する水側及び湯側の一対のクランク脚と、該水栓本体を覆うカバーと、を備えたクランク脚付きのカバー付き水栓であって、
前記カバーは、前記一対のクランク脚ごと前記水栓本体を覆うように設けてあるとともに、
該カバーは、前記一対のクランク脚ごと前記水栓本体を下側から覆う下面カバー部を備えていて、
該下面カバー部は、前記水栓本体を下側から覆う主部から下向きに部分的に突出して前記クランク脚を前記壁に沿った方向に跨ぐ逆ブリッジ状の脚カバー部を備え、該脚カバー部の前端にて、前記一対のクランク脚に組み込まれた止水栓の操作部を露出させて該操作部を操作可能とする開口部が前記壁とは反対方向の前方に向けて形成されており、該開口部は前記脚カバー部の前端から前記主部にまで広がる開口形状とされていることを特徴とするクランク脚付きのカバー付き水栓。
【請求項２】
請求項１において、前記下面カバー部に、前記クランク脚及び前記水栓本体から下向きに突出した水抜栓の操作部を露出させる開口部が設けてあることを特徴とするクランク脚付きのカバー付き水栓。
【発明の詳細な説明】
【技術分野】
【０００１】
この発明はクランク脚付きのカバー付き水栓に関する。
【背景技術】
【０００２】
クランク脚付きの壁付きの混合水栓として、従来、水栓本体の本体ボデーを金属の鋳物製とし、その内部に弁部その他の水栓機構部を内蔵させた形態のものが広く用いられている。
この種の水栓では、壁裏の元配管に接続状態に壁に取り付けた水側及び湯側の一対のクランク脚によって水栓本体を支持することができる。
また水側及び湯側の左右一対のクランク脚を壁面と平行方向に回転させてその回転角度を調整し、また元配管へのねじ込み量を調節することで、水栓本体を水平姿勢に姿勢調節したり、水栓本体と壁との間隔を左右（使用者から見た正面視において左右）均等にしたり、或いは水栓本体の、左右一対のクランク脚との接続部間の間隔と、壁側の水及び湯の元配管の接続部間の間隔のずれを吸収したりすることができる。
【０００３】
ところで従来の水栓の場合、金属製の鋳物製の本体ボデーがそのまま水栓の外観を成しており、そこで水栓の意匠性を高めるべく、従来にあっては一般に本体ボデー外面にメッキを施して外面を美麗に仕上げることを行っている。
【０００４】
しかしながらこの場合、良好な外観を実現するために本体ボデーに余剰の肉を付けて外面をフラットとし、研磨処理を施した上でメッキ処理することとなるため、本体ボデーが必然的に重くなって施工作業がしづらくなり、また鋳物材料の使用量も多くなるとともに、研磨及びメッキ処理の工程が必要となってコストも高くなってしまう。
【０００５】
また使用者が本体ボデーに触れたときの火傷防止などのために、本体ボデーにウォータージャケット構造を設けて、そこに水を巡らすようにしており、そのウォータージャケット構造のために本体ボデーの構造が複雑化し、また重量も重くなってしまう。
【０００６】
水栓本体をカバーで覆って成るカバー付き水栓では、こうした問題を解決することができる。
具体的にはカバー付き水栓の場合、カバーが水栓の外観を成すために水栓の本体ボデーに余剰の肉を付けてその外面を凹凸の無いフラットな形に形成したりしなくても良く、重量を軽量化することができる。
またカバーによって、使用者が直接本体ボデーに触れるのを防ぐことが可能となり、従来本体ボデーに設けていたウォータージャケット構造を省くことも可能となる。
更にカバー付き水栓にあっては、カバーの種類を変えることで様々な外観を水栓に与えることが可能となる。
【０００７】
ところでクランク脚によって水栓本体を壁に取り付ける形式の従来のクランク脚付きのカバー付き水栓にあっては、カバーにより主として水栓本体だけを覆い、クランク脚を露出させたままとしている。
例えば下記特許文献１，特許文献２にこの種のクランク脚付きのカバー付き水栓が開示されている。
【０００８】
このようにクランク脚を露出させる形式の従来のカバー付き水栓では、工場生産段階で予め水栓本体にカバーを取り付けておき、そのカバー付きの水栓本体を施工現場でクランク脚にて壁に取付施工することができ、施工が容易であるといった利点がある。
【０００９】
しかしながら一方で、このようなカバー付き水栓の場合、水栓設置状態でクランク脚が外部に露出して水栓の外観の一部をなすため、従来のカバー無しの水栓と同様に、クランク脚にメッキ処理を施して外観を美麗に仕上げておかなければならず、そのための処理にコストが多くかかってしまう。
【００１０】
またその他に、水栓設置状態でクランク脚が外部に露出していると、クランク脚は複雑な屈曲形状をしているために水栓の外観が煩雑化してしまう他、クランク脚が汚れの付き易い個所となり、しかもクランク脚は上記のように複雑な屈曲形状をしているために掃除がしにくく、汚れが付いたままとなり勝ちで、そのことが水栓の外観を悪化させる。
【００１１】
そこでこのような水側及び湯側の一対のクランク脚を水栓本体とともに内側に隠すように、カバーにてそれらを外側から覆っておくといったことが考えられる。
【００１２】
ところで、クランク脚付きの壁付きの水栓では一般にクランク脚に止水栓が組み込まれており、その止水栓の操作部を操作することで止水を行ったり、或いは流量調節を行ったりすることができる。
ところがクランク脚の全体を水栓本体とともにカバーにて外側から覆ってしまうと、そのカバーが邪魔となって止水栓を操作することができなくなる。従ってその場合には一旦カバーを取り外して止水栓を操作することが必要となる。
【００１３】
しかしながらその場合、止水栓を操作するためにその都度カバーを取り外したり、或いは再び取り付けたりしなければならず、そのような作業は複雑で且つ難しいため、一般の水栓使用者がこれを行うといったことは困難である。
【００１４】
その他に、寒冷地向けのクランク脚付きの水栓では、クランク脚，水栓本体に凍結防止用の水抜栓を組み込むことが従来行われており、この場合においてもクランク脚を水栓本体とともにカバーで外側から全体的に覆ってしまうと、水抜きの操作が行えなくなる。
この場合においてもカバーを脱着して水抜栓の操作を行うといったことは可能であるが、水抜栓の操作のためにいちいちカバーの脱着を行うといったことは実際上は困難である。
【先行技術文献】
【特許文献】
【００１５】
【特許文献１】特開２０１１−２１９９５９号公報
【特許文献２】特開昭６１−１８３５２７号公報
【発明の概要】
【発明が解決しようとする課題】
【００１６】
本発明は以上のような事情を背景とし、クランク脚が外部に露出することによる問題を解決できるとともに、併せてクランク脚に組み込まれた止水栓の操作を容易に行い得るクランク脚付きのカバー付き水栓を提供することを目的としてなされたものである。
また本発明の他の目的は、水抜栓の操作も容易に操作し得るクランク脚付きのカバー付き水栓を提供することを目的としてなされたものである。
【課題を解決するための手段】
【００１７】
而して請求項１のものは、水栓本体と、該水栓本体を壁に固定する水側及び湯側の一対のクランク脚と、該水栓本体を覆うカバーと、を備えたクランク脚付きのカバー付き水栓であって、前記カバーは、前記一対のクランク脚ごと前記水栓本体を覆うように設けてあるとともに、該カバーは、前記一対のクランク脚ごと前記水栓本体を下側から覆う下面カバー部を備えていて、該下面カバー部は、前記水栓本体を下側から覆う主部から下向きに部分的に突出して前記クランク脚を前記壁に沿った方向に跨ぐ逆ブリッジ状の脚カバー部を備え、該脚カバー部の前端にて、前記一対のクランク脚に組み込まれた止水栓の操作部を露出させて該操作部を操作可能とする開口部が前記壁とは反対方向の前方に向けて形成されており、該開口部は前記脚カバー部の前端から前記主部にまで広がる開口形状とされていることを特徴とする。
【００１９】
請求項２のものは、請求項１において、前記下面カバー部に、前記クランク脚及び前記水栓本体から下向きに突出した水抜栓の操作部を露出させる開口部が設けてあることを特徴とする。
【発明の作用・効果】
【００２０】
以上のように本発明のカバー付き水栓は、水側及び湯側の一対のクランク脚ごと水栓本体をカバーにて覆うようになしたもので、このカバー付き水栓では、クランク脚をカバーの内側に隠すことができるため、クランク脚へのメッキ処理を省くことが可能となる。
またクランク脚に汚れた付き易かったり、またその汚れの掃除がしにくいことでクランク脚に汚れが付いたままとなり易く、そのことが水栓の美観を悪化させる問題を解決でき、クランク脚付きの水栓の美観を従来に増して高めることができる。
【００２１】
また湯側のクランク脚をカバーの内側に覆っておくことができるため、使用者が意図しない動きで湯側のクランク脚に触れてしまって熱い思いをしたり、場合によって火傷をしてしまう恐れも無くすことができる。
【００２２】
本発明のカバー付き水栓は、その他に、クランク脚を水栓本体とともに覆うカバーに、クランク脚に組み込んだ止水栓の操作部を露出させて操作部を操作可能とする開口部を壁とは反対方向の前方に向けて設けてある点を特徴としている。
【００２３】
かかる本発明のカバー付き水栓にあっては、カバー装着状態の下で止水栓を上記の開口部を通じて容易に操作することができる。即ちカバーをいちいち脱着しなくても止水栓の操作を行うことができ、従って専門の知識を有していない水栓の使用者であっても簡単に止水栓の操作を行うことができる。
ここで止水栓の操作用の開口部は正面方向の開口部、即ち水平方向前方に向いた開口部となしておくことが望ましい。
このようにすれば、止水栓の操作がより行い易くなる。
【００２４】
ここで本発明ではクランク脚及び水栓本体を下側から覆う下面カバー部をカバーに備えておき、そしてその下面カバー部に、下向きに部分的に突出してクランク脚を壁に沿った方向に跨ぐ逆ブリッジ状の脚カバー部を備え、その脚カバー部の前端にて上記の開口部を形成しておく。
【００２５】
下面カバー部の全体をクランク脚よりも下側に位置させて、一対のクランク脚ごと水栓本体を下側から覆うようになすといったことも考えられるが、この場合にはカバー全体が大きく、嵩高くなってしまう。
これに対して、脚カバー部を下向きに部分的に突出した形態で設けておいた場合、脚カバー部以外の下面カバー部の大部分を、脚カバー部よりも上側の、水栓本体に近い位置に設けておくことができる。
このようにすることで、カバー全体をコンパクトに構成することができ、カバー付き水栓の見栄えを良好とすることができる。
またこのようにすることで、止水栓の操作部を露出させるための開口部を容易に形成することができる。
【００２６】
ところで寒冷地用のクランク脚付き水栓にあっては、クランク脚や水栓本体から水抜栓の操作部が下向きに突出する状態で設けられる場合がある。
この場合、一対のクランク脚ごと水栓本体を下面カバー部で下側から覆ってしまうと水抜栓の操作ができなくなる。
ここにおいて請求項２は、カバーの下面カバー部に、クランク脚や水栓本体から下向きに突出した水抜栓の操作部を露出させる開口部を設けたもので、この請求項２によれば、カバーを脱着することなく、カバー装着状態の下で水抜栓を操作し、水抜きを行うことができ、水抜きのための操作を容易に行えるようになる。
ここで水抜栓用の開口部は、操作部を下面カバー部を突き抜けて外部に突出させるものとしておくことができる。
【図面の簡単な説明】
【００２７】
【図１】本発明の一実施形態のクランク脚付きのカバー付き水栓の外観斜視図である。
【図２】図１とは異なる方向で示したカバー付き水栓の外観斜視図である。
【図３】図１のカバー付き水栓の底面図である。
【図４】図１，図２とは異なる方向で示したカバー付き水栓の外観斜視図である。
【図５】図１のカバー付き水栓を、カバーを除いた状態で示した図である。
【図６】図１のカバー付き水栓における本体ボデーにクランク脚を接続した状態を示した図である。
【図７】図１のカバー付き水栓のカバーを分解して水栓本体とともに示した図である。
【図８】図１のカバー付き水栓における上カバーを示した図である。
【図９】図１のカバー付き水栓における下カバーを示した図である。
【図１０】図１のカバー付き水栓における隙間カバーを示した図である。
【図１１】図１の上カバーと隙間カバーとを組付状態で示した図である。
【図１２】図１のカバー付き水栓のクランク脚内部の構成を拡大して示した図である。
【図１３】図１のカバー付き水栓の施工手順の説明図である。
【図１４】図１３に続く施工手順の説明図である。
【図１５】図１４に続く施工手順の説明図である。
【図１６】図１のカバー付き水栓における隙間カバーの作用説明図である。
【図１７】本発明の他の実施形態のカバー付き水栓の外観斜視図である。
【図１８】図１７のカバー付き水栓における本体ボデーにクランク脚を接続した状態を示した図である。
【図１９】図１７のカバー付き水栓における下カバーを示した図である。
【図２０】図１７のカバー付き水栓のクランク脚内部の構成を拡大して示した図である。
【発明を実施するための形態】
【００２８】
次に本発明の実施形態を図面に基づいて詳しく説明する。
図１〜図４において、１０はクランク脚を備えた壁付きのカバー付き水栓（混合水栓）で、図７に示しているようにハウジングをなす本体ボデー１２の内部に温調弁ユニット，切替弁ユニットその他の水栓機構部を内蔵した水栓本体１４と、壁Ｗ（図５参照）裏に配管された給水用の元配管，給湯用の元配管からの水，湯をそれぞれ水栓本体１４に供給する給水用の配管，給湯用の配管を兼ねた水側のクランク脚１６，湯側のクランク脚１８と、それらを全体的に囲い込むカバー（ここでは樹脂製）２０を含んで構成されている。
ここで本体ボデー１２は金属の鋳物から成っている。但し外面の研磨及びメッキ処理は施されておらず、外面は鋳肌そのままとなっている。
【００２９】
クランク脚１６，１８は、図６，図７及び図４，図５に示しているように壁Ｗ裏の元配管にシール状態にねじ接続されて、壁Ｗから水平方向に突き出す雄ねじ管から成る管体２２と、これから壁面と平行方向に直角に折れ曲った管体２４とを有しており、その管体２４の先端部に袋ナット２６が設けられている。
ここで水側のクランク脚１６及び湯側のクランク脚１８における一対の管体２４は、正面視においてハ字状をなしている。
そしてこの袋ナット２６により管体２４の先端部が水栓本体１４、詳しくは本体ボデー１２に備えられた、外周面に雄ねじを有する水側，湯側の接続口２８にねじ接続されている。
尚図３，図６において、３０は壁Ｗ裏の元配管とクランク脚１６の管体２２との接続部を覆って隠蔽する椀座である。
【００３０】
一方、本体ボデー１２の前部からはカラン側の吐水口３２が下向きに突出しており、また図５にも示しているようにその背面からは、シャワー水をシャワーホースを介してシャワーヘッドに吐水するシャワーエルボ３４が下向きに突出している。
尚、カラン側の吐水口３２の先端部には雄ねじ部が設けられていて、そこにキャップ３５（図２参照）が螺着されている。
本体ボデー１２にはまた、左右方向（使用者からの正面視における左右方向）の中央部の前面に、その前面から前方に部分的に突出するブロック状の被係合部３６が一体に設けられている。
この被係合部３６には、その下面で開口する雌ねじ穴３７が上下向きに設けられている。
【００３１】
この本体ボデー１２を含む水栓本体１４の左端側（使用者からの正面視において左端側）には温調ハンドル３８が、また右端側には切替ハンドル４０がそれぞれ回転操作可能に取り付けられており、これら温調ハンドル３８，切替ハンドル４０が、図１及び図２に示すようにカバー２０から左右方向に突出せしめられている。
ここで温調ハンドル３８は、回転操作によって吐水の温度調節を行う。また切替ハンドル４０は、回転操作によってカラン側の吐水口３２からの吐水と、シャワーエルボ３４からの吐水との切替えを行うとともに、カラン側の吐水口３２及びシャワーエルボ３４からの吐水の流量調節と吐止水とを行う。
【００３２】
カバー２０は、図７に示しているように水栓本体１４に下向きに被せられて、これを上側から覆う本体カバーとしての上カバー４２と、水栓本体１４を下側から覆う蓋カバーとしての下カバー４４と、更に補助的なカバーとして上カバー４２と壁Ｗとの間の隙間を閉じる隙間カバー４６とを有している。
【００３３】
上カバー４２は、略水平方向に平坦な板状の上面カバー部４８と、上面カバー部４８の前端から下向きに折れ曲った板状の前面カバー部５０と、上面カバー部４８の左右の各一端から下向きに立ち下がった一対の板状の側面カバー部５２とを有する、下面が開放された箱型形状とされており、その上面カバー部４８によって、水側及び湯側の一対のクランク脚１６，１８ごと水栓本体１４を上側から覆い、また前面カバー部５０によって水栓本体１４を前側から覆い、更に一対の側面カバー部５２によって、一対のクランク脚１６，１８ごと水栓本体１４を側方から覆っている。
ここで一対の側面カバー部５２には、温調ハンドル３８と切替ハンドル４０とを突出させるための逆Ｕ字状の切欠部５４が設けられている。
【００３４】
前面カバー部５０は、図７，図８及び図１，図２に示すように上部５６と下部５８とを有している。
上部５６は、下方に進むにつれて前方に迫り出す湾曲形状とされており、また下部５８は、下方に進むにつれて水栓本体１４側に後向きに移行する傾斜形状とされている。
図１３に示しているようにこの傾斜形状の下部５８は、その下端が水栓本体１４、詳しくは本体ボデー１２の下端に近い位置まで下向きに延び出している。
【００３５】
一方下カバー４４は、図７及び図９に示すように略水平方向に延びる平坦な板状の下面カバー部６０を有しており、一対のクランク脚１６，１８ごと水栓本体１４を下側から覆っている。
尚下カバー４４は、その前端部が斜め上向きに湾曲して延びており、図２及び図１５に示すようにその湾曲部６２が上カバー４２の前面カバー部５０、詳しくはその下部５８の下端に繋がっている。
下カバー４４はまた、水栓本体１２の前部の側面の一部を覆う左右一対の起立部６４を有している。
【００３６】
これら一対の起立部６４には、温調ハンドル３８，切替ハンドル４０を突出させるための円弧状の切欠部６６が設けられている。
尚この下カバー４４の下面カバー部６０には、図９にも示しているように水栓本体１４の上記のカラン側の吐水口３２を下向きに突出させるための円形且つ貫通の開口部６８と、シャワーエルボ３４を下向きに突出させるための長円形状の貫通の開口部７０とが設けられている。
【００３７】
この下カバー４４の下面カバー部６０は、図１５に示すように一対のクランク脚１６，１８における管体２２の上部の高さ位置で、水栓本体１４を下側から覆う主部６０Ａと、図２及び図１５に示すように一対のクランク脚１６，１８を下側から覆う脚カバー部６０Ｂとを有している。
【００３８】
脚カバー部６０Ｂは、主部６０Ａから下向きに突出してクランク脚１６，１８を、詳しくはそれらの下側の管体２２を壁Ｗと平行方向に跨ぐ湾曲した逆ブリッジ状をなしており、その前端にて止水栓１５０(図１２参照)用の開口部７６を形成している。
ここで開口部７６は壁Ｗとは反対方向の前方、特にこの実施形態では水平方向前方の正面方向に向けて開口している。
【００３９】
この開口部７６は、止水栓１５０の操作用及び後述のストレーナ１６０の脱着操作用として設けられている。
詳しくは、図１２に示しているようにクランク脚１６，１８における管体２２の先端部には、止水栓１５０がねじ結合にて組み込まれており、その操作部７２の係合溝１５４に、マイナスドライバ等の工具を係合させて操作部７２を回転操作することで、シール部１５６が弁座１５８に着座し或いは離座して止水栓１５０が閉弁或いは開弁するようになっており、更にシール部１５６と弁座１５８との間隔を調整することで、通水の流量が調節されるようになっている。
【００４０】
またこの止水栓１５０の外周側には、メッシュ状のストレーナ１６０が配置されていて、そのストレーナ１６０が、管体２２にねじ結合された保持部１６２にて保持されており、その保持部１６２の先端側の操作部７４の係合溝１６６に、マイナスドライバ等の工具を係合させて操作部７４を回転させることで、ストレーナ１６０を管体２２から外して前方（図中左方）に取り出し、或いは図中右方に組み付けられるようになっている。
【００４１】
これら止水栓１５０を操作するための操作部７２及びストレーナ１６０を脱着するための操作部７４は、何れも正面方向に向けて管体２２の先端部に設けられており、そこでこの実施形態ではそれら操作部７２及び７４を外部に露出させ、それぞれの操作を可能とする開口部７６を脚カバー部６０Ｂの先端にて形成している。
ここで開口部７６は、水栓本体１４の取付姿勢を水平にすべくクランク脚１６，１８の回転角度を調節した場合でも、止水栓１５０の操作部７２及びストレーナ１６０の操作部７４を露出させ得るように横長楕円形状としてある。
【００４２】
上記隙間カバー４６は、図７及び図１０に示しているように板状をなす平坦な上面閉鎖部７８と、一対の側面閉鎖部８０とを有している。
隙間カバー４６はまた、これら上面閉鎖部７８及び側面閉鎖部８０から前方に延出し、図７に示すように上カバー４２における一対の側面カバー部５２の内側に突設された４角筒状の支持部８４に対して前後方向にスライド可能に外嵌状態に嵌合し、かかる支持部８４にて支持される、横断面形状が略コ字形状をなす被支持部８６を有している。
【００４３】
本実施形態のカバー付き水栓１０を現場設置する際、上カバー４２と壁Ｗとの間に施工上隙間が生じてしまう。
この隙間カバー４６はその隙間を埋め、閉鎖する働きを有するもので、この隙間カバー４６を上カバー４２による、具体的にはその支持部８４による支持の下で、図１１に示すように後方にスライド移動させ、壁Ｗに当てることで上カバー４２と壁Ｗとの間の隙間を閉鎖することができる。
【００４４】
尚その際、隙間カバー４６は壁Ｗに当るまで後方移動させられた後、被支持部８６に設けた図１０の長穴状の挿通部８８及び上カバー４２の支持部８４の挿通孔９４を通じて図１１に示すボルト９０を上向きに挿通し、そして支持部８４内部においてナット９２にねじ込むことで、隙間カバー４６が壁Ｗへの当接状態で上カバー４２に固定される。
尚このとき、下カバー４４もまた上カバー４２，隙間カバー４６とともに同時に固定される。
詳しくは、図７及び図９に示しているように下カバー４４からは、下端が開口し上端に底部を有する有底の円筒状の固定部９６が立ち上っており、上記ボルト９０は、図１１に示すようにこの円筒状の固定部９６の下端の開口からその内部に挿入された上、上端の底部に設けた挿通孔９８，上記の挿通部８８，挿通孔９４に挿通された上、ナット９２にねじ込まれ、これにより隙間カバー４６が上カバー４２と下カバー４４とに対して同時に固定される。
【００４５】
図８に示しているように、上カバー４２には、左右方向の略中央部において前面カバー部５０から、詳しくはその下部５８から後方に突出する板状の係合部１００が設けられている。
係合部１００は、水栓本体１４の上記の被係合部３６の直下に位置して、被係合部３６に対し上向きに係合せしめられており、上カバー４２の前部に上向きの力が加わった場合においても、それらの係合作用により、上カバー４２の前部が浮上り防止されている。
この板状の係合部１００は、左右の両端面が３角形状の補強リブ１０４にて前面カバー部５０における下部５８の内面に連結されており、この補強リブ１０４によって係合部１００が強度補強されている。
【００４６】
この実施形態では、係合部１００に貫通の挿通孔１０６が設けられており、図１４及び図１５に示しているようにこの挿通孔１０６を挿通してビス１０８が、水栓本体１４の被係合部３６の開口から内部の雌ねじ穴３７にねじ込まれることで、係合部１００が水栓本体１４の前部に固定されている。
但し係合部１００の主たる働きは水栓本体１４の被係合部３６に上向きに係合して、上カバー４２前部の浮上り防止することにあり、従ってビス１０８による固定は省くことが可能である。
【００４７】
上カバー４２にはまた、上記の係合部１００よりも壁Ｗ側の奥側位置において、図７及び図８に示しているように上面カバー部４８の内面（下面）から立ち下る円筒状の一対の固定部１１２が左右両側位置に設けられている。
一方水栓本体１４、詳しくは本体ボデー１２には、平面視において対応する左，右位置に、詳しくは組付状態で固定部１１２と上下に対向する位置に一対の鍔状の被固定部１１４が一体に設けられている。
これら被固定部１１４には貫通の挿通孔１１６が設けられている。
上カバー４２は、一対の固定部１１２において水栓本体１４の対応する一対の被固定部１１４に固定されている。
【００４８】
詳しくは、図１５に示しているように円筒状の固定部１１２の内部には、円筒状の雌ねじ金具１１８が埋め込まれており、そこにビス１２０が、被固定部１１４の挿通孔１１６を挿通してねじ込まれることで、かかるビス１２０によって固定部１１２と被固定部１１４とがねじ締結され、固定されている。
この実施形態では、下カバー４４もまた、図７及び図９に示す固定部１２２において、水栓本体１４の被固定部１１４に対し、上カバー４２とともに固定されている。
【００４９】
詳しくは、下カバー４４は、上カバー４２の上記の係合部１００を下側から覆う状態に、水栓本体１４に対して下側から上向きに被せられており、この下カバー４４には、その係合部１００よりも奥側の位置、詳しくは組付状態で上カバー４２の固定部１１２及び水栓本体１４の被固定部１１４に対して上下に対向する直下の位置に、円筒状の固定部１２２が設けられている。
【００５０】
この下カバー４４の円筒状の固定部１２２は、その下端が開口し上端に底部１２４（図１５参照）を有する有底円筒状をなしており、図１４に示すようにこの固定部１２２の下端の開口からビス１２０を上向きに挿入し、更に底部１２４の挿通孔１２６及び被固定部１１４の挿通孔１１６を挿通して、上カバー４２の固定部１１２の内部の雌ねじ金具１１８にねじ込むことで、上カバー４２の固定部１１２と下カバー４４の固定部１２２とが、被固定部１１４を上下両側から挟み込む状態に、被固定部１１４に同時に固定されている。
即ち上カバー４２と下カバー４４とが、共通の１つのビス１２０によって水栓本体１４に同時に固定されている。
【００５１】
上カバー４２にはまた、左右両端に近い位置で、上面カバー部４８の内面（下面）から水栓本体１４に向けて下向きに突出する一対の板状のリブ１２８が設けられており、またそれらリブ１２８の内側位置において、上面カバー部４８の内面から下向きに突出する一対の板状のリブ１３０が設けられている。
【００５２】
図１３に示すように、左右方向の両外側の一対のリブ１２８は、図６及び図７に示す水栓本体１４の左右両端部のフランジ部（第２の被係合部）１３２に対して左右方向の両外側から係合し、上カバー４２を水栓本体１４に対して左右方向に位置決めする働きを有している。
尚下カバー４４においても、水栓本体１４の上記のフランジ部１３２に対して左右方向の両外側から係合し、下カバー４４を水栓本体１４に対して左右方向に位置決めするリブ１３８（図７，図９参照）が、下カバー４４の内面から水栓本体１４に向けて上向きに突出する状態に設けられている。
また下カバー４４には、上カバー４２の側面カバー部５２の内面に嵌合して、下カバー４４と上カバー４２との組付けの左右方向位置を規定するリブ１４８が、起立部６４とは段違い形状で設けられている。
【００５３】
上記一対のリブ１２８は、水栓本体１４、詳しくは本体ボデー１２の外周形状に対応した形状で湾曲する湾曲形状のストッパ部１３４を有している。
これらストッパ部１３４は、図１３（Ｂ）に示しているように水栓本体１４における本体ボデー１２の前面に当接して、上カバー４２を水栓本体１４に対して前後方向に位置決めする働きをなす。
これら一対のリブ１２８はまた、ストッパ部１３４の後側で前後方向に延び、水栓本体１４に対して下向きに当接するガイド部１３６を有している。
【００５４】
これらガイド部１３６は、上カバー４２を水栓本体１４に対して上下方向に位置決めする働きを有し、またその当接状態を保ちつつ、ストッパ部１３４が水栓本体１４から前方に離れた位置と、水栓本体１４に後方向きに当接する位置との間で水栓本体１４の上面に対して相対摺動し、上カバー４２を前後方向にスライドガイドするガイド部としての働きを有している。
これらリブ１２８におけるストッパ部１３４，ガイド部１３６の詳細な作用については後述する。
【００５５】
一方、左右方向の内側位置の一対のリブ１３０は、水栓本体１４に対する上カバー４２の取付状態の下で、水栓本体１４の上面、詳しくは図５及び図７に示す水栓本体１４の被当接部１４２の上面との間に、図１４に示す所定の微小な隙間を形成する状態でかかる被当接部１４２に下向きに対向する当接部１４０を有している。
これら当接部１４０は、上カバー４２の上面カバー部４８に対して下向きの力が加わったとき、水栓本体１４の被当接部１４２に当接して、上面カバー部４８の更なる変形を抑制するように働く。
従って、ここでは当接部１４０と被当接部１４２との間の隙間は、上面カバー部４８に下向きの力が加わって変形開始したときに、当接部１４０が被当接部１４２に当ることができるように微小な隙間に設定してある。
【００５６】
上記各一対のリブ１２８，１３０は何れも前後方向に延びる形態で設けられているが、上カバー４２の上面カバー部４８の内面には、左右方向に延びる形態でリブ１４４が設けられている。
更に前後方向に延びるリブ１２８，１３０に続いて、前面カバー部５０に沿って延びるリブ１４６が設けられている。
これら複数のリブ１２８，１３０，１４４，１４６は、樹脂製且つ板状の上カバー４２の各部を補強する働きをなしている。
尚本実施形態のカバー付き水栓では、図１５に示しているように上カバー４２の上面カバー部４８，前面カバー部５０、更に下カバー４４の下面カバー部６０が、水栓本体１４から離隔した状態で水栓本体１４を囲い込んでおり、それら各カバー部と水栓本体１４との間に空間を形成している。そしてその空間により断熱効果をもたせている。
【００５７】
次に本実施形態のカバー付き水栓の施工手順を、各要部の作用とともに以下に説明する。
本実施形態のカバー付き水栓を設置現場で設置施工する際には、先ず一対のクランク脚１６，１８を、雄ねじ管から成る管体２２を壁Ｗ裏の元配管に対しねじ込むことでそれら元配管に接続し、壁Ｗに取り付ける。
その後、予め壁Ｗから前方に退避させていた椀座３０を壁Ｗ側にねじ込んで（椀座３０の内周面には雌ねじが設けてある）、椀座３０を壁Ｗに当接させ、その椀座３０によってクランク脚１６，１８と対応する元配管との接続部を隠蔽する。
その後、図６に示しているように水栓本体１４を、一対の接続部２８において一対のクランク脚１６，１８の管体２４の端部に袋ナット２６にて接続する。
ここにおいて水栓本体１４が壁Ｗに取り付いた状態となる。
【００５８】
本実施形態においては、その後においてカバー２０を水栓本体１４に固定し、取り付けることとなる。
その際、先ず上カバー４２を、隙間カバー４６を支持した状態で水栓本体１４に対して上側から下向きに被せ、水栓本体１４に取り付ける。
このとき、上カバー４２の係合部１００が、図１３（Ａ）に示しているように水栓本体１４よりも前方に位置するようにして、上カバー４２を水栓本体１４に下向きに被せる。
係合部１００が水栓本体１４よりも前方に位置していないと、上カバー４２を水栓本体１４に被せる際に、係合部１００が水栓本体１４と干渉してしまうため、良好に上カバー４２を水栓本体１４に被せることができない。
【００５９】
さてこのようにして係合部１００が水栓本体１４よりも前方に位置するようにして上カバー４２を水栓本体１４に被せたとき、図１３（Ａ）に示すように上カバー４２の左右一対のリブ１２８に設けた湾曲形状のストッパ部１３４が、水栓本体１４の前面から前方に離れて位置した状態となる。
そしてリブ１２８に備えたガイド部１３６が、水栓本体１４の上面に下向きに当接し、その当接作用によって上カバー４２が隙間カバー４６とともに水栓本体１４にて支持された状態となる。
尚このとき、図１３（Ａ）に示しているように上カバー４２の固定部１１２もまた、水栓本体１４の対応する被固定部１１４に対し前方に離隔して位置した状態となる。
【００６０】
そこで次に上カバー４２を壁Ｗに向って後方に押し込む。
このとき、一対のリブ１２８のガイド部１３６が、水栓本体１４の上面への当接状態を保ちつつ、水栓本体１４に対して相対的に摺動し、そして一定量上カバー４２を押し込むと、リブ１２８に設けた湾曲形状のストッパ部１３４が、水栓本体１４の前面に当接してストッパ作用し、ここにおいて上カバー４２の押込端が規定される。即ち上カバー４２が、水栓本体１４に対して前後方向に位置決めされる（図１３（Ｂ））。
【００６１】
上カバー４２に設けた係合部１００及び固定部１１２は、上カバー４２の押込みに伴って後方に一体に移動し、そしてストッパ部１３４が水栓本体１４の前面に当って、上カバー４２が水栓本体１４に対して前後方向に位置決めされたところで、係合部１００が水栓本体１４の被係合部３６の直下に位置して、被係合部３６に対し上向きに係合する状態となり、また上カバー４２の固定部１１２が、図１３（Ｂ）に示しているように水栓本体１４の被固定部１１４の真上に位置して、被固定部１１４に対し上下に対向した状態となる。
【００６２】
そこで次に、図１４に示しているように、ビス１０８を上カバー４２の係合部１００の挿通孔１０６から、水栓本体１４の被係合部３６の雌ねじ穴３７にねじ込んで、上カバー４２を水栓本体１４に対して固定（仮固定）する。
以上のようにして上カバー４２を水栓本体１４に下向きに被せ、仮固定したら、次に図１４に示しているように下カバー４４を水栓本体１４に対して下側から上向きに被せ、水栓本体１４に固定する。
【００６３】
このときの下カバー４４の水栓本体１４への固定は次のようにして行う。
即ち、図１４に示す下カバー４４の円筒状の固定部１２２の下端の開口から、ビス１２０を固定部１２２内に挿入し、更に続いてビス１２０を固定部１２２の挿通孔１２６，水栓本体１４の被固定部１１４の挿通孔１１６を挿通して、上カバー４２の円筒状の固定部１１２内の雌ねじ金具１１８にねじ込む（図１５参照）。
ここにおいて上カバー４２の固定部１１２と、下カバー４４の固定部１２２とが、水栓本体１４の被固定部１１４を上下両側から挟み込んだ状態に、それら３者がねじ締結され、固定される。
即ち上カバー４２と、水栓本体１４と、下カバー４４との３者が同時固定される。
【００６４】
ここにおいて上カバー４２の係合部１００が下カバー４４にて下側から覆われ、また水栓本体１４及び一対のクランク脚１６，１８の全体が、上カバー４２と下カバー４４とで囲い込まれた状態となり、それらがカバー２０の内部に隠れた状態となる。
このとき、上カバー４２と壁Ｗとの間には施工上隙間が生じる。
例えば、図１６（Ｂ），（Ｃ）に示しているようにカバー付き水栓１０を壁Ｗに取り付けるに際して、クランク脚１６，１８のねじ込み量のばらつきによって、上カバー４２と壁Ｗとの間に隙間が生じ且つその隙間の大きさも様々となる。
【００６５】
そこで次に、隙間カバー４６を壁Ｗ側にスライド移動させてその隙間を隙間カバー４６にて閉鎖する。
その作業は次のようにして行う。
即ち、隙間カバー４６を後向きに押してこれを壁Ｗに当接させ、その状態で、下カバー４４の円筒状の固定部９６の下端の開口から図１１に示すボルト９０を挿入し、そしてボルト９０を固定部９６の上端の挿通孔９８及び隙間カバー４６の被支持部の挿通部８８、上カバー４２の支持部８４の挿通孔９４に上向きに挿通し、そして支持部８４内部のナット９２に対してねじ込むことで、隙間カバー４６が上カバー４２及び下カバー４４に対してしっかりと固定された状態となる。
【００６６】
以上のような本実施形態のカバー付き水栓１０では、水側及び湯側の一対のクランク脚１６，１８ごと水栓本体１４をカバー２０により覆ってクランク脚１６，１８をカバー２０の内側に隠すことができるため、クランク脚１６，１８へのメッキ処理を省くことができる。
またクランク脚１６，１８に汚れた付き易かったり、またその汚れの掃除がしにくいことでクランク脚１６，１８に汚れが付いたままとなり易く、そのことが水栓の美観を悪化させる問題を解決でき、クランク脚１６，１８付きの水栓の美観を従来に増して高めることができる。
【００６７】
また湯側のクランク脚１８をカバー２０の内側に覆っておくことができるため、使用者が意図しない動きで湯側のクランク脚１８に触れてしまって熱い思いをしたり、場合によって火傷をしてしまう恐れも無くすことができる。
【００６８】
また本実施形態のカバー付き水栓１０では、カバー２０に、詳しくは下カバー４４の下面カバー部６０に止水栓１５０操作用及びストレーナ１６０の脱着操作用の開口部７６を正面方向に向けて設けているため、カバー２０装着状態の下で止水栓１５０を開口部７６を通じて容易に操作することができ、またストレーナ１６０を脱着操作することができる。即ちカバー２０をいちいち脱着しなくてもそれらの操作を行うことができ、従って専門の知識を有していない水栓の使用者であっても簡単に止水栓１５０の操作等を行うことができる。
【００６９】
更に本実施形態ではクランク脚１６，１８及び水栓本体１４を下側から覆う下カバー４４の下面カバー部６０に、下向きに部分的に突出してクランク脚１６，１８を壁Ｗに沿った方向に跨ぐ逆ブリッジ状の脚カバー部６０Ｂを備え、その脚カバー部６０Ｂの前端にて上記の開口部７６を形成しているため、カバー２０全体をコンパクトに構成することができる。
【００７０】
下面カバー部６０の全体をクランク脚１６，１８よりも下側に位置させて、一対のクランク脚１６，１８ごと水栓本体１４を下側から覆うようになした場合、カバー２０全体が大きく、嵩高くなってしまうが、本実施形態に従い、脚カバー部６０Ｂを下向きに部分的に突出した形態で設けておいた場合、脚カバー部６０Ｂ以外の下面カバー部６０の大部分を、脚カバー部６０Ｂよりも上側の、水栓本体１４に近い位置に設けておくことができる。
このようにすることで、カバー２０全体をコンパクトに構成し得て、カバー付き水栓１０の見栄えを良好とすることができる。
またこのようにすることで、止水栓１５０の操作部７２を露出させるための開口部７６を容易に形成することができる。
【００７１】
図１７〜図２０は、本発明の他の実施形態を示している。
この実施形態のカバー付き水栓１０は寒冷地用のもので、水側，湯側の一対のクランク脚１６，１８の管体２２に、図２０に示す水抜栓１６８が設けられ、また水栓本体１４にも同様の水抜栓１６８が設けられている。
そしてそれら水抜栓１６８の操作部１７０が、図１７に示しているようにそれぞれ一対のクランク脚１６，１８及び水栓本体１４から下向きに突出せしめられている。
【００７２】
これに対応して下カバー４４、詳しくは下面カバー部６０における主部６０Ａに、図１９に示しているように水栓本体１４から突出した水抜栓１６８の操作部１７０を、主部６０Ａを下向きに突き抜けて外部に突出させ、露出させるための開口部１７２が、また一対の脚カバー部６０Ｂのそれぞれに、クランク脚１６，１８から下向きに突出した水抜栓１６８の操作部１７０を、脚カバー部６０Ｂを突き抜けて下向きに突出させるための開口部１７４がそれぞれ設けられている。
【００７３】
図２０に示しているようにそれぞれの水抜栓１６８は、円筒形状のハウジング１８０内にねじ込まれてそこに保持されており、操作部１７０を回転操作すると、図中上側の先端部に保持されたシール部１７６がハウジング１８０の付根の弁座１７８に着座して止水を行う。その状態から水抜栓１６８を逆方向に回転操作すると、水抜栓１６８がねじ送りで図中下向きに後退して開弁し、水抜きを行う。
【００７４】
下カバー４４の上記の開口部１７２，１７４からは、水抜栓１６８及び操作部１７０が円筒形状のハウジング１８０ごと下向きに突き出している。
【００７５】
以上のようにこの本実施形態では、カバー２０の下面カバー部６０に、クランク脚１６，１８や水栓本体１４から下向きに突出した水抜栓１６８の操作部１７０を露出させる開口部１７２，１７４を設けているため、カバー２０を脱着することなく、カバー２０装着状態の下で水抜栓１６８を操作し、水抜きを行うことができ、水抜きのための操作を容易に行うことができる。
【００７６】
以上本発明の実施形態を詳述したが、これはあくまで一例示である。
例えば上記実施形態では、上カバーが下面が開放された形状の箱型形状をなし、下カバーがその下面を閉じる蓋カバーとして設けられているが、場合によって下カバーの側に前面カバー部，側面カバー部の一部を形成したり、或いは前面カバー部，側面カバー部の全体を下カバー４４に形成し、上カバーをその上面と閉じる蓋カバーとして構成するといったことも可能であるなど、本発明はその趣旨を逸脱しない範囲において種々変更を加えた形態で構成可能である。
【符号の説明】
【００７７】
１０  カバー付き水栓
１４  水栓本体
１６，１８  クランク脚
２０  カバー
６０  下面カバー部
６０Ｂ  脚カバー部
７２，７４，１７０  操作部
７６，１７２，１７４  開口
１５０  止水栓
１６８  水抜栓
【図１】
0005991707.tif 000002
【図２】
0005991707.tif 000003
【図３】
0005991707.tif 000004
【図４】
0005991707.tif 000005
【図５】
0005991707.tif 000006
【図６】
0005991707.tif 000007
【図７】
0005991707.tif 000008
【図８】
0005991707.tif 000009
【図９】
0005991707.tif 000010
【図１０】
0005991707.tif 000011
【図１１】
0005991707.tif 000012
【図１２】
0005991707.tif 000013
【図１３】
0005991707.tif 000014
【図１４】
0005991707.tif 000015
【図１５】
0005991707.tif 000016
【図１６】
0005991707.tif 000017
【図１７】
0005991707.tif 000018
【図１８】
0005991707.tif 000019
【図１９】
0005991707.tif 000020
【図２０】
0005991707.tif 000021